(57)【要約】【課題】エレベータを使用する際の利便性を向上させる技術を提供することを目的とする。【解決手段】エレベータ呼び出しシステムは、ビーコン発信装置と、携帯端末と、サーバとを有する。ビーコン発信装置は、エレベータの乗場に設置され、電波信号であるビーコン信号を発信する。携帯端末は、出発階と目的階との対応付けが事前になされたデータに対し、ビーコン信号を検出した階を出発階として検索して目的階を取得し、出発階と目的階とを送信する。サーバは、携帯端末より送信された２つの階の情報を受信し、エレベータのかご室の移動を制御するエレベータ制御部に、出発階から目的階まで移動するよう設定する。【選択図】図１
2018095439.tif 000002
【特許請求の範囲】
【請求項１】
エレベータ呼び出しシステムであって、
エレベータの乗場に設置され、電波信号であるビーコン信号を発信するビーコン発信装置と、
出発階と目的階との対応付けが事前になされたデータに対し、前記ビーコン信号を検出した階を出発階として検索して目的階を取得し、前記出発階と前記目的階とを送信する携帯端末と、
前記携帯端末より送信された前記２つの階の情報を受信し、前記エレベータのかご室の移動を制御するエレベータ制御部に、前記出発階から前記目的階まで移動するよう設定するサーバと、
を有するエレベータ呼び出しシステム。
【請求項２】
請求項１に記載のエレベータ呼び出しシステムにおいて、
前記携帯端末は、出発階と、目的階と、第１フラグデータとを対応付けたレコードを１つまたは複数記憶しており、
前記ビーコン信号を検出した階が出発階となっており、且つ、前記第１フラグデータが事前に定義された値となっているレコードを検索して目的階を取得する
エレベータ呼び出しシステム。
【請求項３】
請求項１または２に記載のエレベータ呼び出しシステムにおいて、
前記ビーコン発信装置は、当該ビーコン発信装置が設置された乗場の階の情報と、前記サーバの識別情報とを発信し、
前記携帯端末は、前記乗場の階の情報と前記サーバの識別情報を受信し、前記乗場の階の情報と対応付けられている目的階を前記データから取得して、前記乗場の階の情報と前記目的階の情報とを、前記識別情報で指定されるサーバに送信する
エレベータ呼び出しシステム。
【請求項４】
請求項１乃至３のいずれか１項に記載のエレベータ呼び出しシステムにおいて、
前記携帯端末は、前記ビーコン発信装置から発信される、当該ビーコン発信装置が設置された階の情報を受信し、当該階の情報を出発階とした対応付けが前記データ内に無い場合、目的階を設定する設定画面を表示し、入力された目的階と前記階の情報とを対応付けて前記データに含める
エレベータ呼び出しシステム。
【請求項５】
請求項４に記載のエレベータ呼び出しシステムにおいて、
前記サーバは、前記エレベータのかご室がいずれの階に停止可能かを示す情報を記憶し、
前記携帯端末は、前記サーバから前記情報を受信し、前記情報に従い、停止不可な階を目的階として設定することを禁止する設定画面を表示する
エレベータ呼び出しシステム。
【発明の詳細な説明】
【技術分野】
【０００１】
この明細書に記載の実施形態は、エレベータの昇降階を設定する技術に関する。
【背景技術】
【０００２】
利用者の所持する携帯端末を使用して、エレベータの呼び出しおよび目的階を入力するシステムが開示されている。
【０００３】
このエレベータシステムは、スマートフォン(携帯端末)とエレベータ制御装置とから構成される。スマートフォンは、タッチパネル上で乗場ボタン、行き先階ボタンが操作されると、これに基づいて呼び情報を生成し、エレベータ制御装置に送信する。エレベータ制御装置は、スマートフォンから送信された呼び情報を登録し、これに基づいてエレベータの運転を制御する。
【先行技術文献】
【特許文献】
【０００４】
【特許文献１】特開２０１５−５１８４２号公報
【特許文献２】特表２００３−５１１３２０号公報
【発明の概要】
【発明が解決しようとする課題】
【０００５】
一般的に、利用者がエレベータを利用する際にはエレベータを呼び出す必要がある。このとき、従来技術では下記に示す操作が必要となる。
・乗場に設置された呼びボタンを押下する。
・専用の入力機器を操作する。
・携帯端末のタッチパネルを操作する（例えば上記のエレベータシステム）。
【０００６】
従来技術において、日常的に決まった階を行き来するような場合でも、毎回エレベータを呼ぶ度に手動操作を行わなければならないという煩わしさがあり、利便性の面で問題がある。また、利用者の両手が塞がっているなど、手動操作が困難な場面では、荷物を置くなどして手を空けてから、操作を実施しなければならないといった問題もある。
【０００７】
実施形態は、エレベータを使用する際の利便性を向上させる技術を提供することを目的とする。
【課題を解決するための手段】
【０００８】
実施形態のエレベータ呼び出しシステムは、ビーコン発信装置と、携帯端末と、サーバとを有する。ビーコン発信装置は、エレベータの乗場に設置され、電波信号であるビーコン信号を発信する。携帯端末は、出発階と目的階との対応付けが事前になされたデータに対し、ビーコン信号を検出した階を出発階として検索して目的階を取得し、出発階と目的階とを送信する。サーバは、携帯端末より送信された２つの階の情報を受信し、エレベータのかご室の移動を制御するエレベータ制御部に、出発階から目的階まで移動するよう設定する。
【図面の簡単な説明】
【０００９】
【図１】実施形態のシステム構成例を示す図である。
【図２】実施形態のシステムの機能ブロック図を示す図である。
【図３】携帯端末が記憶する乗車情報データベースで管理されているテーブル構成例の一例を示す図である。
【図４】物件情報データベースで管理されるテーブル構成例の一例を示す図である。
【図５】制御情報データベースで管理されるテーブル構成例の一例を示す図である。
【図６】乗場情報データベースで管理されるテーブル構成例の一例を示す図である。
【図７】登録時の携帯端末の表示例を示す図である。
【図８】登録されている情報を更新する際の携帯端末の表示例を示す図である。
【図９】携帯端末の乗場情報取得部の動作例を示すフローチャートである。
【図１０】携帯端末の乗車情報確認部の動作例を示すフローチャートである。
【図１１】携帯端末の新規登録部の動作例を示すフローチャートである。
【図１２】サーバシステムの制御情報監視部の動作例を示すフローチャートである。
【発明を実施するための形態】
【００１０】
実施形態のエレベータ呼び出しシステムは、携帯端末を用いてエレベータの出発階および目的階を登録することにより、次回以降、エレベータ乗場に携帯端末を持った利用者が到着した際に、自動的にエレベータを呼び、さらに目的階への呼びを登録する。これにより、利用者はエレベータを呼ぶ際に毎回必要であった手動操作が不要となる。
【００１１】
以下、図面を参照しつつ実施形態の態様について説明する。
【００１２】
図１は、エレベータ呼び出しシステムを示す構成図である。エレベータ呼び出しシステム１は、利用者が所持する携帯端末２と、サーバシステム３と、携帯端末２およびサーバシステム３とに接続されるエレベータシステム４とで構成される。
【００１３】
携帯端末２は、エレベータを利用する各利用者が所持するスマートフォンなどの端末であり、１つまたは複数存在する。携帯端末２は、エレベータの出発階および目的階への呼び登録と、過去の乗車情報を保持する。携帯端末２は、無線通信装置８と、乗車情報データベースＪ（詳細は後述）を持つ。尚、図面ではデータベースをＤＢと記す。携帯端末２の無線通信装置８は、エレベータシステム４のアクセスポイント１２およびビーコン装置１３との間で無線通信によりデータ接続される。
【００１４】
サーバシステム３は、物件情報の提供とエレベータの制御情報の管理および監視を実施する。サーバシステム３は、メイン制御部９と、物件情報データベースＢと、制御情報データベースＣを持つ（各データベースの詳細は後述）。サーバシステム３は、エレベータシステム４のエレベータ乗場１１と、アクセスポイント１２およびＬＡＮ６（ＬＡＮ：Local Area Network）を介して接続される。また、サーバシステム３は、エレベータシステム４のエレベータ制御盤１４と、ＬＡＮ６により接続された遠隔制御基板５およびエレベータ制御伝送ライン７を介して接続される。
【００１５】
エレベータシステム４は、利用者に運搬等のエレベータ機能を提供する。エレベータシステム４内には、各階毎にエレベータ乗場１１が複数存在し、それぞれアクセスポイント１２と、ビーコン装置１３と、乗場情報データベースＨが設置される。
【００１６】
アクセスポイント１２は、例えばIEEE802.11シリーズの規格に準拠した無線ＬＡＮでデータ通信を行う。アクセスポイント１２は、携帯端末２とサーバシステム３との間のデータ通信を中継／制御する。ビーコン装置１３は、例えばIEEE802.15シリーズの規格に準拠した近距離無線通信を行う。またビーコン装置１３は、本例ではエレベータ１０の開閉ドア近傍に設置されている。ビーコン装置１３は、無線電波（ビーコン信号）を発信する。利用者が保持する携帯端末２は、ビーコン装置１３から出力されるビーコンを検知することで、自機や利用者がビーコン装置１３の近傍にいるか否かを判定する。すなわち携帯端末２は、エレベータ１０の開閉ドア近傍に利用者がいるか否かを判定することができる。
【００１７】
アクセスポイント１２およびビーコン装置１３の出力電波強度は、管理者やシステム構築者により事前に調整される。また、必要に応じて運用時にも調整することができる。本例では、各階に設置されるアクセスポイント１２およびビーコン装置１３は、少なくとも他の階に設置されるアクセスポイント１２およびビーコン装置１３に影響を与えないように電波強度が調整されている。特にビーコン装置１３は、利用者の携帯端末２がエレベータ乗場１１のエレベータ開閉ドアの近傍にいるものと判定可能な程度（数メートル程度）に調整される。
【００１８】
図２はエレベータ呼び出しシステム１の機能を示すブロック図である。携帯端末２は、乗場情報取得部２１と、乗車情報確認部２２と、新規登録部２３と、制御情報送信部２４とを有する。これらの各機能部は、ＣＰＵなどの演算処理装置であるプロセッサ２５１、主記憶装置であるメモリ２５２、およびストレージ２１１を含む構成により実現される。すなわち、プロセッサ２５１がストレージ２１１に事前に記憶されているプログラムをメモリ２５２に展開し、演算実行することで実現される。上記の各機能部およびプロセッサ２５１、メモリ２５２を含む構成を制御部２０１とする。乗車情報データベースＪは、不揮発性の記憶装置であるストレージ２１１に記憶されている。
【００１９】
サーバシステム３は、物件情報送信部３１と、制御情報登録部３２と、制御情報監視部３３と、制御情報送信部３４とを有する。これらの各機能部は、ＣＰＵなどの演算処理装置であるプロセッサ３５１、主記憶装置であるメモリ３５２、およびストレージ３１１により実現され、プロセッサ３５１がストレージ３１１に事前に記憶されているプログラムを演算実行することで実現される。メイン制御部９は、上記の各機能部およびプロセッサ３５１、メモリ３５２を含む構成となる。制御情報データベースＣおよび物件情報データベースＢは、不揮発性の記憶装置であるストレージ３１１に記憶されている。
【００２０】
エレベータシステム４は、上記のビーコン装置１３、アクセスポイント１２、およびエレベータ制御部４１を有する。
【００２１】
エレベータ制御部４１は、本例では、遠隔制御基板５やエレベータ制御盤１４により実現され、エレベータ１０のかご室の昇降移動や指定階での停止、利用者の操作による停止維持などを制御する。
【００２２】
ビーコン装置１３は、装置内部ユニットを統括制御する制御回路１３１、およびデータを揮発性および不揮発性に記憶可能な記憶部１３２を有する。乗場情報送信部１３３は、電波送信用アンテナを含み、制御回路１３１からの指示のもと乗場情報データベースＨの各データを送信する。乗場情報送信部１３３は、エレベータ呼び出しシステム１が稼働中の場合に常時実行されており、エレベータ乗場１１に携帯端末２を所持した利用者が到着した際に、携帯端末２へ乗場情報を送信する。
【００２３】
アクセスポイント１２は、装置内部のユニットを統括制御する制御回路１２１、および無線通信を行う際の設定データ（暗号鍵情報やパラメータなど）を揮発性および不揮発性に記憶可能な記憶部１２２を有する。またアクセスポイント１２は、アンテナなどを含み、制御回路１２１からの指示に基づき携帯端末２とサーバシステム３との間で送受信されるデータを中継する無線通信部１２３を有する。
【００２４】
次に、実施形態で使用するデータの構造を説明する。
【００２５】
図３に、携帯端末２の乗車情報データベースＪで管理されているデータ構成を示す。乗車情報データベースＪは、物件ＩＤと、出発階情報と、目的階情報と、自動呼び出し要否フラグ（要：１、否：０）の情報が対応付けられている。自動呼び出し要否フラグは、自動呼び出しを有効にするのか、無効にするのかのフラグデータである。例えば同一ＩＤで１階を出発階とし目的階を３階とした登録と、１階を出発階とし目的階を５階とした登録とがある場合を例にして説明する。自動呼び出し要否フラグは、利用者が１階にいる場合に３階、５階のいずれの階に自動で目標階にするのかを設定するものである。例えば出発階１階、目的階３階を自動呼び出し要として設定すると、利用者が１階のビーコン圏内に進入することで、システム１は１階に呼び出して３階に向かうように自動設定し、５階に向かう設定を行わない。
【００２６】
これら物件ＩＤ、出発階情報、目的階情報、自動呼び出し要否フラグの各情報は、乗車情報確認部２２による、新規登録の要否判定と、制御情報送信の要否判定に使用される。またこれら情報は、利用者が携帯端末２を操作することで登録される。携帯端末２は、これらの情報をもとに制御情報を作成し、制御情報送信部２４により、サーバシステム３に制御情報を送信する。
【００２７】
図４に、サーバシステム３の物件情報データベースＢで管理されているデータ構成例を示す。物件情報データベースＢは、物件ＩＤと、階床構成情報に関する情報が対応付けられて格納されている。物件ＩＤは、エレベータシステム４が導入されているビルやマンション、設置されたエレベータごとに一意に定義されている識別情報である。階床構成情報は、当該エレベータシステム４により利用可能な階の情報が格納される。これら情報は、管理者やシステム構築者により運用前などに予め入力される。またこれら情報は、サーバシステム３の物件情報送信部３１により、携帯端末２へ送信される。
【００２８】
尚、携帯端末２が図４に示す各情報を互いに対応付けて保持してもよい。
【００２９】
図５に、サーバシステム３の制御情報データベースＣで管理されているデータ構成例を示す。制御情報データベースＣは、登録番号と、出発階情報と、目的階情報についての情報が格納されている。制御情報データベースＣは、エレベータ制御部４１に出力するためのバッファ（待ち行列、キュー）として機能する。これら情報は、サーバシステム３の制御情報登録部３２により登録され、登録された順に登録番号が付加される。また、サーバシステム３は、制御情報送信部３４で、これら情報をもとに制御情報を作成し、エレベータシステム４に送信する。
【００３０】
図６に、エレベータシステム４内の乗場情報データベースＨで管理されているデータ構成例を示す。乗場情報データベースＨは、サーバを一意に識別するためのサーバアクセス情報（ＵＲＬやＩＰアドレスなど）と、乗場階情報の各情報を格納している。乗場階情報は、当該乗場情報データベースＨの設置階により異なる。例えば１階に設置されている乗場情報データベースＨの場合、乗場階情報には数値１が格納され、２階の場合は数値２が乗場階情報に格納される。サーバアクセス情報、乗場階情報は、事前に登録されており、ビーコン装置１３により参照されて乗場情報送信部１３３によって携帯端末２へ送信される。尚、図６の対応関係に、物件ＩＤも対応づけられ、携帯端末２へ送信されてもよい。
【００３１】
次に、携帯端末２の登録時の画面表示例を図７に示す。
【００３２】
利用者がエレベータ乗場のビーコン発信圏内に進入すると、携帯端末２は、エレベータを利用可能であることを通知するため、エレベータ呼び出し確認画面を表示する（図７（Ａ））。ここで利用者がＹｅｓボタンを押下する。
【００３３】
携帯端末２は、利用者の現在階、および物件の階床構成情報（いずれの階を利用可能かの情報）を表示する（図７（Ｂ））。利用者はラジオボタンをオン表示にすることで目的階を選択し、決定ボタンを押下する。図７（Ｂ）の例では、利用者は１階にいるものとし、５階を目的階として選択するものとする。
【００３４】
携帯端末２は、利用者に次回から自動呼び出しを行うかを選択させる（図７（Ｃ））。ここでＹｅｓボタンが押下されると、エレベータ呼び出しシステム１は、出発階である１階、および目的階である５階を、自動呼び出し：要としてシステム内に設定登録する。本例では、携帯端末２の乗車情報データベースＪに登録する。登録されると、以降、１階のビーコン圏内に利用者が進入すると、エレベータ呼び出しシステム１は、利用者のいる１階までエレベータが向かうように呼びを送信し、且つ、目的階を５階としてエレベータ制御部４１に設定する。図７（Ｃ）の画面でＮｏボタンが押下されると、出発階および目的階は自動呼び出し：不要としてシステム内に設定登録される。
【００３５】
またエレベータ呼び出しシステム１は、利用者のいる階（１階）までエレベータ１０のかご室を呼ぶ。携帯端末２は、エレベータ呼びを送信したことを利用者に通知する（図７（Ｄ））。
【００３６】
次に、登録されている情報を更新する際の、携帯端末２の表示例を図８に示す。尚、以下を実現するためには、エレベータ接近時に取得した各物件の情報(物件名や当該物件の階床構成等)を、携帯端末２側で保持しているものとする。
【００３７】
携帯端末２は、既登録の物件一覧を表示する（図８（Ａ））。ここで表示される物件名は、物件ＩＤに紐付いたビルやマンション名などである。利用者が一覧から設定変更を行う物件を選択すると、携帯端末２は、物件ＩＤに対応する既登録の出発階、目的階を表示する（図８（Ｂ））。利用者は、変更する情報を選択し、編集ボタンを押下する。尚、自動呼び出しの要否設定は、図８（Ｂ）内のチェックボタンにより変更可能とする。このチェックボタン（自動呼び出しの要否）は、図３に示す自動呼び出し要否フラグと連動している。
【００３８】
図８（Ｂ）の画面で編集ボタンを押下すると、携帯端末２は、出発階設定画面を表示する（図８（Ｃ））。利用者が出発階を選択し、「決定」ボタンを押下すると、携帯端末２は目的階設定画面を表示する（図８（Ｄ））。利用者が目的階を選択し、決定ボタンを押下すると、携帯端末２は変更確認画面を表示する（図８（Ｅ））。利用者がここでＯＫボタンを押下すると、携帯端末２は乗車情報データベースＪの情報を更新する。
【００３９】
次に、エレベータ呼び出しシステム１の動作例について、図９〜図１２のフローチャートを参照しつつ説明する。
【００４０】
図９は、携帯端末２の乗場情報取得部２１の動作例を示すフローチャートであり、図１０は携帯端末２の乗車情報確認部２２の動作例を示すフローチャートである。また図１１は携帯端末２の新規登録部２３の動作例を示すフローチャートであり、図１２はサーバシステム３の制御情報監視部３３の動作例を示すフローチャートである。このように各図面のフローチャートは、図２に示す機能部ごとのフローチャートとなっているが、ここでは、（Ｉ）新規登録時の動作、（ＩＩ）自動呼び出しの動作の処理手順に従い説明する。（Ｉ）新規登録時の動作および（ＩＩ）自動呼び出しの動作は、上記の各機能部が互いに組み合わさって実現される。よって以下のフローチャートの説明では、各図を跨いだ説明となる。
【００４１】
（Ｉ．新規登録時の動作）
本例では、携帯端末２の乗車情報データベースＪと、サーバシステム３の物件情報データベースＢ、制御情報データベースＣと、ビーコン装置１３の乗場情報データベースＨは、図３〜図６に示した状態であると仮定して説明する。また、エレベータ呼び出しシステム１による呼び出しが実行中でないと仮定する。
【００４２】
（Ｉ−１）  携帯端末２の乗場情報取得部２１は、ビーコン圏内に進入することで、ビーコン装置１３の乗場情報送信部１３３により送信される、図６に示す乗場情報を受信する。
（Ｉ−２）  乗場情報取得部２１は、受信した情報からサーバアクセス情報：１７２．１６．０．１と乗場階情報：１を取得する（図９：ＡＣＴ００１）。
（Ｉ−３）  乗場情報取得部２１は、エレベータ呼び出しシステム１による「呼び出し実行中」（後述の（Ｉ−１０）、（Ｉ−１８）を参照）でないことを確認し（図９：ＡＣＴ００２−Ｎｏ）、サーバシステム３から図４に示す物件情報(物件ＩＤ：００００１２３、階床構成情報:１，２，３，４，５)を取得する（図９：ＡＣＴ００３）。サーバシステム３内のメイン制御部９は、携帯端末２からの物件情報要求を受け取り、物件情報送信部３１により、携帯端末２の乗場情報取得部２１へ物件情報を送信する。
（Ｉ−４）  乗車情報取得部２１は、ビーコン装置１３から取得した乗場階情報と、サーバシステム３から取得した物件情報を、携帯端末２の乗車情報確認部２２へ出力する（ＡＣＴ００４）。
【００４３】
（Ｉ−５）  携帯端末２の乗車情報確認部２２は、受け取った物件情報内の物件ＩＤ：００００１２３と、乗場階情報：１との組み合わせをもとに、図３に示す携帯端末２の乗車情報データベースＪ内を検索し（図１０：ＡＣＴ１０１）、一致する乗車情報が存在しないため（ＡＣＴ１０１−Ｎｏ）、携帯端末２の新規登録部２３へ物件情報と乗場階情報を出力する（図１０：ＡＣＴ１０４）。
【００４４】
（Ｉ−６）  携帯端末２の新規登録部２３は、処理開始時に利用者に対して新規情報があることを通知し（図１１：ＡＣＴ２０１）、この情報を登録するかを選択させる（図１１：ＡＣＴ２０２）。利用者は、ここで登録することを選択する（図１１：ＡＣＴ２０２−登録する）。
（Ｉ−７）  新規登録部２３は、物件情報内の階床構成情報：１，２，３，４，５ をもとに、目的階として利用可能な階（２，３，４，５階のいずれか）を利用者に提示し（図１１：ＡＣＴ２０３）、利用者に目的階を選択させる（図１１：ＡＣＴ２０４）。また、その登録情報により、次回以降の自動呼び出しを実施するかを選択させる（図１１：ＡＣＴ２０５）。ここで利用者は、目的階：５、自動呼び出し：要（１）を選択したとする。
（Ｉ−８）  新規登録部２３は、乗車情報データベースＪに、図３に示す物件情報内の物件ＩＤ：０００００１２３と、出発階として乗場階情報：１と、利用者により選択された目的階：５と、利用者選択により決定された自動呼び出しフラグ：要（１）とを登録する（図１１：ＡＣＴ２０６）。
（Ｉ−９）  新規登録部２３は、利用者に上記までで登録した乗車情報を用いて、エレベータの呼び出しを実行するかを選択させる（図１１：ＡＣＴ２０７）。利用者は実行することを選択すると（図１１：ＡＣＴ２０７−実行する）、新規登録部２３は、携帯端末２の制御情報送信部２４へ出発階情報：１と目的階情報：５を出力する（図１１：ＡＣＴ２０８）。
（Ｉ−１０）  携帯端末２の制御情報送信部２４は、制御情報(出発階情報：１、目的階情報：５)を作成し、サーバシステム３へ送信する。このとき携帯端末２内に、エレベータ呼び出しシステム１による「呼び出し実行中」であることを保存する。
【００４５】
続いて、サーバシステム３内のメイン制御部９は、携帯端末２から送信された制御情報を受け取り、制御情報登録部３２により、図５に示すサーバシステム３内の制御情報データベースＣに、制御情報(登録番号：４、出発階情報：１、目的階情報：５)を新たに登録する。サーバシステム３内のメイン制御部９は、定期的に以下の制御情報監視部３３の処理を実行する。もしくは、制御情報登録部３２完了後に、実行されるようにしてもよい。
【００４６】
（Ｉ−１１）  サーバシステム３の制御情報監視部３３は、サーバシステム３内の制御情報データベースＣ内に、登録情報があるかを確認する(図１２：ＡＣＴ３０１）。登録情報がある場合（図１２：ＡＣＴ３０１−あり）、最も古い制御情報である登録番号：１のレコードから、出発階情報：１、目的階情報：３を取得し、サーバシステム３の制御情報送信部３４へ、出発階情報：１と目的階情報：３を出力する(図１２：ＡＣＴ３０２）。制御情報監視部３３は、出力後に登録番号：１のレコードを削除する(図１２：ＡＣＴ３０３）。
【００４７】
（Ｉ−１２）  サーバシステム３の制御情報送信部３４は、受け取った制御情報の出発階情報：１と、目的階情報：３を、エレベータシステム４へ送信する。
（Ｉ−１３）  エレベータシステム４内のエレベータ制御部４１は、サーバシステム３から受け取った制御情報(出発階情報：１、目的階情報：３)をもとに、エレベータ１０の出発階呼び、および目的階呼びをエレベータの状況に応じて設定／登録する。
【００４８】
上記（Ｉ−１１）〜（Ｉ−１３）の処理は、制御情報データベースＣ内に残っている登録番号：２〜４のレコードに関して、登録番号の並びに従い実行される。登録番号：４のレコードについて、上記（Ｉ−１１）〜（Ｉ−１３）が実行されたタイミングで、上記手順で指示したエレベータ呼び出しが実行され、エレベータ１０が出発階である１階へ到着する。
【００４９】
（Ｉ−１４）  利用者は、１階へ到着したエレベータに乗車する。
（Ｉ−１５）  エレベータ制御部４１は、制御情報として受け取った目的階情報：５に基づき、５階に呼びを登録する。
（Ｉ−１６）  利用者は、５階到着後に降車する。
【００５０】
利用者が５階降車時(または到着時)、携帯端末２の乗場情報取得部２１は、５階のエレベータ乗場１１に設置されたビーコン装置１３から、ビーコン信号を受信する。
（Ｉ−１７）  携帯端末２の乗場情報取得部２１は、乗場情報(サーバアクセス情報：１７２．１６．０．１、乗場情報：５を取得する（図９：ＡＣＴ００１）。
（Ｉ−１８）  乗車情報取得部２１は、エレベータ呼び出しシステム１が「呼び出し実行中」の状態にあること確認し（図９：ＡＣＴ００２−Ｙｅｓ）、呼び出し中の目的階：５と取得した乗場階情報：５が一致することを確認した後（図９：ＡＣＴ００５−Ｙｅｓ）、エレベータ呼び出しシステム１による「呼び出し実行中」の状態を解除する（図９：ＡＣＴ００６）。
【００５１】
（ＩＩ．自動呼び出しの動作）
引き続き自動呼び出しの動作について説明する。本例では、物件情報データベースＢと、制御情報データベースＣと、乗場情報データベースＨは、図４〜図６に示した状態とする。乗車情報データベースＪは、図３の情報に加え、上記（Ｉ）新規登録時の動作で登録した乗車情報（物件ＩＤ：０００００１２３、出発階情報：１、目的階情報：５、自動呼び出し要否フラグ：要（１））が登録されたものと仮定して説明する。また、エレベータ呼び出しシステム１による呼び出しが実行中でないと仮定する。
【００５２】
（ＩＩ−１）  前記Ｉ−１〜Ｉ−４と同様の流れで処理を実施する。
（ＩＩ−２）  携帯端末２の乗車情報確認部２２は、受け取った物件情報内の物件ＩＤ：０００００１２３と、乗場階情報：１との組み合わせをもとに、携帯端末２の乗車情報データベースＪ内を検索する（図１０：ＡＣＴ１０１）。乗車情報確認部２２は、出発階と目的階との対応付けが事前になされた乗車情報データベースＪに対し、ビーコン信号を検出した階を出発階として検索して目的階を取得する。ここでは、上記Ｉ．で登録した情報（物件ＩＤ：０００００１２３、出発階情報：１、目的階情報：５、自動呼び出し要否フラグ：要（１））が一致するため（図１０：ＡＣＴ１０１−Ｙｅｓ）、次に自動呼び出しフラグが要（１）であることを確認し（図１０：ＡＣＴ１０２：要（１））、携帯端末２の制御情報送信部２４へ、出発階情報：１と、検索結果として得られた目的階情報：５を出力する（図１０：ＡＣＴ１０３）。
（ＩＩ−３）  上記Ｉ−１０〜Ｉ−１８と同様の流れで処理を実施する。
【００５３】
上記実施形態において、携帯端末２は、アクセスポイント１２を介してサーバシステム３にデータ送信を行っているが、３Ｇ規格や４Ｇ規格などの無線インターネット接続サービスの回線網を介して、サーバシステム３にアクセスしてもよい。この場合、サーバシステム３はクラウドサーバとして提供されてもよい。
【００５４】
また実施形態では、ビーコン装置１３のビーコン信号により、利用者がエレベータ乗場にいるかを検出するものとして説明した。これ以外に、他の無線通信手段（例えばアクセスポイント１２）から出力される無線信号（ビーコン信号）などに基づき、利用者がエレベータ乗場にいるかを検知する実装でもよい。
【００５５】
本実施形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と協働してその機能を実現させるものであってもよい。
【００５６】
以上に詳説したように、実施形態の構成により、各物件における出発階で、一度だけ目的階の登録を実施するだけで、次回以降は、手動操作によるエレベータの呼び登録を行うことなく、エレベータの呼び出しが可能となる。これにより、エレベータを使用する際の利便性が増す。
【００５７】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００５８】
１  エレベータ呼び出しシステム、２  携帯端末、３  サーバシステム、
４  エレベータシステム、５  遠隔制御基板、
１０  エレベータ、１２  アクセスポイント、１３  ビーコン装置、
１４  エレベータ制御盤、４１  エレベータ制御部。
【図１】
2018095439.tif 000003
【図２】
2018095439.tif 000004
【図３】
2018095439.tif 000005
【図４】
2018095439.tif 000006
【図５】
2018095439.tif 000007
【図６】
2018095439.tif 000008
【図７】
2018095439.tif 000009
【図８】
2018095439.tif 000010
【図９】
2018095439.tif 000011
【図１０】
2018095439.tif 000012
【図１１】
2018095439.tif 000013
【図１２】
2018095439.tif 000014